(57)【要約】【課題】記録媒体収容装置が取り付けられる側に、開閉可能なカバーを上下方向に二つ並べた記録装置は、大型化するという課題がある。【解決手段】下側カバー１８０には、用紙収容装置から給送される用紙が通る貫通孔１８１と、用紙を案内する第１案内面としての傾斜面１８２ａ１を有し、上側カバー１７０の内側に突出する突出部１８２と、が設けられ、上側カバー１７０には、上側カバー１７０及び下側カバー１８０が閉じた状態において、傾斜面１８２ａ１と対向する位置に設けられ、給送される用紙の傾斜面１８２ａ１と反対側の面を案内する第２案内面としての傾斜面１７１ａが設けられる。【選択図】図５
2017190214.tif 000002
【特許請求の範囲】
【請求項１】
記録媒体を給送する給送部と、前記記録媒体に記録する記録部と、前記記録媒体が前記給送部から前記記録部に搬送される搬送経路と、を筐体内部に備えた記録装置であって、
前記筐体に開閉可能に設けられ、前記搬送経路を覆う位置に鉛直方向に並ぶ、第１の開閉体、第２の開閉体と、
記録媒体を収容し、前記筐体の外側に着脱可能に備えられ、前記記録媒体を前記筐体内部に給送する記録媒体収容装置と、を備え、
前記第１の開閉体には、前記記録媒体収容装置から給送される前記記録媒体が通る貫通孔と、前記記録媒体を案内する第１案内面を有し、前記第２の開閉体の内側に突出する突出部と、が設けられ、
前記第２の開閉体には、前記第１の開閉体及び前記第２の開閉体が閉じた状態において、前記第１案内面と対向する位置に設けられ、給送される前記記録媒体の前記第１案内面と反対側の面を案内する第２案内面が設けられることを特徴とする記録装置。
【請求項２】
請求項１に記載の記録装置であって、
前記第１の開閉体を開く際に、前記突出部は、閉じた状態にある前記第２の開閉体と干渉しない位置に退避することを特徴とする記録装置。
【請求項３】
請求項２に記載の記録装置であって、
前記突出部は、回動可能に備えられ、
前記突出部が退避する回動方向に付勢する付勢部材と、
前記第１の開閉体が閉じた位置にあるときは、前記突出部の前記回動方向への回動を規制し、前記第１の開閉体が閉じた位置にないときは、前記突出部の前記回動方向への回動を規制しない規制部材と、を備えることを特徴とする記録装置。
【請求項４】
請求項１から請求項３のいずれか一項に記載の記録装置であって、
前記第１の開閉体は、前記搬送経路における前記給送部側を覆う第１の扉であり、前記第２の開閉体は、前記搬送経路における前記記録部側を覆う第２の扉であって、
前記突出部は、前記第２の扉の内側に突出することを特徴とする記録装置。
【発明の詳細な説明】
【技術分野】
【０００１】
本発明は、記録装置に関する。
【背景技術】
【０００２】
プリンターなどの記録装置には、本体装置側に用紙を給送する給送ユニットを備え、大容量の用紙を収容する用紙収容装置を本体装置とは別体に備えたものがある（例えば、特許文献１）。
このような記録装置には、本体装置における用紙収容装置が備えられる側に開閉可能なカバーを設け、用紙の搬送経路に用紙が詰まる、所謂、紙ジャムが生じた際に、カバーを開けて用紙を取り除くようにしているものがある。カバーを閉めた状態で給送ユニットから用紙が給送される際には、用紙収容装置に収容された用紙は、カバーに設けられた貫通孔を通り、本体装置の内部に給送される。
【０００３】
図１２Ａは、本体装置の外側に開閉可能に備えられる上側カバー８０、下側カバー８１の断面を示す図である。図１２Ａは、搬送経路８４を搬送される用紙Ｐ１の幅方向から見た図で、上側カバー８０、下側カバー８１は、閉じた状態にある。上側カバー８０、下側カバー８１は、鉛直方向Ｚの上下方向に並んで備えられる。上側カバー８０、下側カバー８１の外側には、複数の用紙Ｐ２を収容する用紙収容装置８６が備えられる。用紙収容装置８６は、本体装置側に用紙Ｐ２を１枚ずつ給送する。本体装置内に給送された用紙Ｐ２は、搬送経路８４に侵入する。
【０００４】
搬送経路８４の図面下側から上側に向かって搬送される用紙Ｐ１が、搬送経路８４の下側に残った際には、用紙収容装置８６を本体装置から取り外し、下側カバー８１を開けて用紙Ｐ１を取り除く。搬送経路８４の図面下側から上側に向かって搬送される用紙Ｐ１、または用紙収容装置８６によって給送された用紙Ｐ２が、搬送経路８４の上側に残った際には、上側カバー８０を開けて用紙Ｐ１，Ｐ２を取り除く。
【０００５】
下側カバー８１には、側面８３に対して斜めに貫通する貫通孔８２が設けられる。破線で示した案内経路８５は、貫通孔８２を通る用紙Ｐ２を搬送経路８４に案内する。用紙収容装置８６に収容された用紙Ｐ２は、１枚ずつ矢印に示すように、用紙収容装置８６の開口部８７を通り、貫通孔８２、案内経路８５、搬送経路８４の順に通り、本体装置の内部に給送される。
【０００６】
傾斜角度Ｑは、搬送経路８４の搬送方向（鉛直方向Ｚ）に対する、案内経路８５の搬送方向の角度を示す。すなわち、傾斜角度Ｑは、用紙収容装置８６から給送される用紙Ｐ２が、貫通孔８２及び案内経路８５を通り搬送経路８４に侵入する際の侵入角度となる。用紙Ｐ２を給送する際には、用紙Ｐ２の変形が少なくなるので、傾斜角度Ｑ（侵入角度）は小さい方がよい。しかしながら、傾斜角度Ｑを小さくしようとすると、図１２Ａに示すように、案内経路８５と上側カバー８０とが干渉してしまう場合がある。
【０００７】
そこで、図１２Ｂに示すように、上側カバー８０と干渉しないように、図１２Ａの貫通孔８２より下方に位置する傾斜部８２ａ１と、傾斜部８２ａ１と接合され、開口部８７の位置で水平方向に延びる水平部８２ａ２とを有する貫通孔８２ａが形成された下側カバー８１ａを備えることが考えられる。
または、図１２Ｃに示すように、上側カバー８０と干渉しないように、上側カバー８０より搬送経路８４側に位置する傾斜部８２ｂ１と、傾斜部８２ｂ１と接合され、開口部８７の位置で水平方向に延びる水平部８２ｂ２とを有する貫通孔８２ｂが形成された下側カバー８１ｂを備えることが考えられる。
【先行技術文献】
【特許文献】
【０００８】
【特許文献１】特開２０１５−４４６４２号公報
【発明の概要】
【発明が解決しようとする課題】
【０００９】
しかしながら、図１２Ｂの下側カバー８１ａや図１２Ｃの下側カバー８１ｂは、図１２Ａの下側カバー８１の位置より本体装置外側（図面右側）に配置することになる。また、図１２Ｃの下側カバー８１ｂは、図１２Ａの下側カバー８１より厚くなる。すなわち、搬送経路に残った用紙を取り除くために、用紙収容装置が取り付けられる側に、開閉可能なカバーを上下方向に二つ並べて備え、一方のカバーに用紙収容装置から給送される用紙が通る開口部（貫通孔）を設けると、記録装置が大型化するという課題がある。
【課題を解決するための手段】
【００１０】
本発明は、上述の課題の少なくとも一部を解決するためになされたものであり、以下の形態または適用例として実現することが可能である。
【００１１】
［適用例１］記録媒体を給送する給送部と、前記記録媒体に記録する記録部と、前記記録媒体が前記給送部から前記記録部に搬送される搬送経路と、を筐体内部に備えた記録装置であって、前記筐体に開閉可能に設けられ、前記搬送経路を覆う位置に鉛直方向に並ぶ、第１の開閉体、第２の開閉体と、記録媒体を収容し、前記筐体の外側に着脱可能に備えられ、前記記録媒体を前記筐体内部に給送する記録媒体収容装置と、を備え、前記第１の開閉体には、前記記録媒体収容装置から給送される前記記録媒体が通る貫通孔と、前記記録媒体を案内する第１案内面を有し、前記第２の開閉体の内側に突出する突出部と、が設けられ、前記第２の開閉体には、前記第１の開閉体及び前記第２の開閉体が閉じた状態において、前記第１案内面と対向する位置に設けられ、給送される前記記録媒体の前記第１案内面と反対側の面を案内する第２案内面が設けられることを特徴とする記録装置。
【００１２】
本適用例によれば、前記第１の開閉体には、前記記録媒体収容装置から給送される前記記録媒体が通る貫通孔と、前記記録媒体を案内する第１案内面を有し、前記第２の開閉体の内側に突出する突出部と、が設けられ、前記第２の開閉体には、前記第１の開閉体及び前記第２の開閉体が閉じた状態において、前記第１案内面と対向する位置に設けられ、給送される前記記録媒体の前記第１案内面と反対側の面を案内する第２案内面が設けられる。これにより、記録媒体は、第１の開閉体に設けられた貫通孔を通り、さらに第１の開閉体に設けられた突出部の第１案内面と第２の開閉体に設けられた第２案内面との間を通り、筐体内部の搬送経路に侵入できる。すなわち、記録媒体は、第１の開閉体の貫通孔を通り、第２の開閉体に干渉することなく、第２の開閉体の内側を通り、筐体内部の搬送経路に侵入できる。従って、第１の開閉体の位置が外側になったり、第１の開閉体が厚くなることを抑制し、記録装置の大型化を抑制できる。
【００１３】
［適用例２］前記第１の開閉体を開く際に、前記突出部は、閉じた状態にある前記第２の開閉体と干渉しない位置に退避することを特徴とする上記記録装置。
【００１４】
本適用例によれば、第２の開閉体が閉じた状態であっても、突出部が第２の開閉体と干渉することなく、第１の開閉体を開閉できる。
【００１５】
［適用例３］前記突出部は、回動可能に備えられ、前記突出部が退避する回動方向に付勢する付勢部材と、前記第１の開閉体が閉じた位置にあるときは、前記突出部の前記回動方向への回動を規制し、前記第１の開閉体が閉じた位置にないときは、前記突出部の前記回動方向への回動を規制しない規制部材と、を備えることを特徴とする上記記録装置。
【００１６】
本適用例によれば、第１の開閉体が閉じた位置にないときは、付勢部材によって、突出部は退避する方向に回動される。
【００１７】
［適用例４］前記第１の開閉体は、前記搬送経路における前記給送部側を覆う第１の扉であり、前記第２の開閉体は、前記搬送経路における前記記録部側を覆う第２の扉であって、前記突出部は、前記第２の扉の内側に突出することを特徴とする上記記録装置。
【００１８】
本適用例によれば、第１の扉を開けることによって、搬送経路における給送部側に残された記録媒体を取り除くことができ、第２の扉を開けることによって、搬送経路における記録部側に残された記録媒体を取り除くことができる。
【図面の簡単な説明】
【００１９】
【図１】記録装置の概略構成を示す図。
【図２】上側カバー、下側カバーが備えられた部分の外観斜視図。
【図３】上側カバーの斜視図。
【図４】下側カバーの斜視図。
【図５】閉じた状態での上側カバー及び下側カバーの一部の断面を含む斜視図。
【図６】実施形態２における下側カバーの斜視図。
【図７】下側カバーの一部の断面を含む斜視図。
【図８Ａ】下側カバーを回動させたときの様子について説明するための図。
【図８Ｂ】下側カバーを回動させたときの様子について説明するための図。
【図８Ｃ】下側カバーを回動させたときの様子について説明するための図。
【図８Ｄ】下側カバーを回動させたときの様子について説明するための図。
【図９】実施形態３における上側カバーの斜視図。
【図１０】実施形態３における下側カバーの斜視図。
【図１１Ａ】下側カバーを回動させたときの様子について説明するための図。
【図１１Ｂ】下側カバーを回動させたときの様子について説明するための図。
【図１２Ａ】従来の上側カバー、下側カバーが備えられた部分の図。
【図１２Ｂ】従来の上側カバー、下側カバーが備えられた部分の図。
【図１２Ｃ】従来の上側カバー、下側カバーが備えられた部分の図。
【発明を実施するための形態】
【００２０】
（実施形態１）
実施形態について図を参照して説明する。図の矢印Ｘは、記録媒体としての用紙が搬送される方向を示し、矢印Ｙは、搬送される用紙の幅方向を示し、矢印Ｚは、鉛直方向を示す。上部、下部、上方、下方、上側、下側、上下方向の記載は、鉛直方向Ｚにおける部位や方向をいう。
【００２１】
図１は、記録装置の一例であるプリンター１００の概略構成を示す図である。プリンター１００は、用紙Ｐに液体としてのインクを付着させることで文字や写真などの画像を記録するインクジェット式プリンターである。
【００２２】
用紙カセット１０３は、用紙Ｐを積層状態で収容し、本体装置の筐体１０１に着脱可能に備えられる。本実施形態のプリンター１００には、４個の用紙カセット１０３が鉛直方向Ｚに並んで配置される。
【００２３】
筐体１０１の内部には、用紙Ｐに対して上側から記録を行う記録部１１０と、用紙Ｐを搬送経路１２０に沿って搬送方向Ｘに搬送する搬送部１３０とが設けられている。
【００２４】
記録部１１０は、幅方向Ｙの略全域に亘って同時にインクを吐出可能なラインヘッド型の記録ヘッド１１１を下部に備えている。記録部１１０は、記録ヘッド１１１から吐出されるインクが用紙Ｐにおいて記録ヘッド１１１と対向する記録面（画像を印刷される面）に付着されることで、用紙Ｐに画像を形成する。
【００２５】
搬送部１３０は、搬送経路１２０に沿って配置されている複数の搬送ローラー対１３１と、記録部１１０の直下に設けられるベルト搬送部１３２とを有している。ベルト搬送部１３２によって搬送されている用紙Ｐに対して、記録ヘッド１１１からインクが吐出され、記録が行われる。
【００２６】
ベルト搬送部１３２は、記録ヘッド１１１よりも搬送方向Ｘ上流側（図面右側）に配置されている駆動ローラー１３３と、記録ヘッド１１１よりも搬送方向Ｘ下流側（図面左側）に配置されている従動ローラー１３４と、これらの各ローラー１３３、１３４に掛けられた無端状をなす環状のベルト１３５とを有している。駆動ローラー１３３が駆動回転することによりベルト１３５が周回し、その周回するベルト１３５によって用紙Ｐが搬送方向Ｘ下流側へ搬送される。すなわち、ベルト１３５の外周面が、記録が行われる用紙Ｐを支持する支持面として機能する。
【００２７】
搬送経路１２０は、記録部１１０へ向けて用紙Ｐが搬送される供給経路１４０と、記録部１１０により記録が行われ、記録された用紙Ｐが搬送される排出経路１５０と、排出経路１５０から分岐する分岐経路１６０とを有している。
【００２８】
供給経路１４０は、第１の供給経路１４１と、第２の供給経路１４２と、第３の供給経路１４３とを有している。第１の供給経路１４１は、筐体１０１の右側面に備えられたカバー１４１ａを開けることによって挿入口１４１ｂが露出し、挿入口１４１ｂから挿入される用紙Ｐが記録部１１０へ搬送される供給経路である。第１の供給経路１４１には第１駆動ローラー対１４４が設けられており、挿入口１４１ｂから挿入された用紙Ｐは、第１駆動ローラー対１４４の回転駆動によって記録部１１０へ向かって直線的に搬送される。
【００２９】
第２の供給経路１４２は、筐体１０１の下部に備えられた用紙カセット１０３にそれぞれ収容された用紙Ｐが、記録部１１０へ搬送される供給経路である。第２の供給経路１４２のうちの各用紙カセット１０３付近にはピックアップローラー１４２ａ及び分離ローラー対１４５が設けられている。用紙カセット１０３に積層状態で収容された用紙Ｐは、最上位の用紙Ｐがピックアップローラー１４２ａにより送り出され、分離ローラー対１４５で一枚ずつに分離された後、鉛直方向Ｚにおける姿勢が反転されながら、第２の供給経路１４２に設けられた第２駆動ローラー対１４６の回転駆動によって記録部１１０へ向かって搬送される。
【００３０】
第２駆動ローラー対１４６は、駆動ローラー１４６ａと従動ローラー１４６ｂとによって構成される。駆動ローラー１４６ａは筐体１０１側に取り付けられ、従動ローラー１４６ｂは、上側カバー１７０及び下側カバー１８０にそれぞれ取り付けられる。上側カバー１７０及び下側カバー１８０が閉じた状態において、従動ローラー１４６ｂは、駆動ローラー１４６ａと従動して回転可能である。
【００３１】
第３の供給経路１４３は、用紙Ｐに対して両面に画像を記録する両面印刷を行う場合に、記録部１１０によって片面が記録された用紙Ｐが、再び記録部１１０へ搬送される供給経路である。すなわち、記録部１１０よりも搬送方向Ｘ下流側には、排出経路１５０から分岐する分岐経路１６０が設けられている。両面印刷を行う際、用紙Ｐは、排出経路１５０の途中に設けられた分岐機構１４７の動作によって分岐経路１６０へ搬送される。また、分岐経路１６０には、正転と逆転の双方の回転が可能な分岐経路ローラー対１６１が分岐機構１４７よりも下流側に設けられる。
【００３２】
両面印刷に際して、一方の面が印刷された用紙Ｐは、分岐機構１４７により一旦この分岐経路１６０へ案内され、正転する分岐経路ローラー対１６１によって分岐経路１６０内を下流側に搬送される。その後、分岐経路１６０へ搬送された用紙Ｐは、逆転する分岐経路ローラー対１６１によって分岐経路１６０内を下流側から上流側へ逆搬送される。
【００３３】
分岐経路１６０から逆搬送される用紙Ｐは第３の供給経路１４３へ搬送され、複数の搬送ローラー対１３１によって記録部１１０へ向かって搬送される。第３の供給経路１４３は、記録部１１０を迂回して、記録部１１０よりも上流側において第１の供給経路１４１及び第２の供給経路１４２と合流する。
【００３４】
このため、第３の供給経路１４３を搬送されることによって、用紙Ｐは印刷されていない他方の面が記録部１１０と対向するように反転され、第３駆動ローラー対１４８の回転駆動によって記録部１１０へ向かって搬送される。すなわち、第３の供給経路１４３は、鉛直方向Ｚにおける用紙Ｐの姿勢を反転させながら搬送する反転搬送経路として機能する。
【００３５】
各供給経路１４１、１４２、１４３を搬送される用紙Ｐは、記録部１１０よりも搬送方向の上流側に配設された整列ローラー対１４９まで搬送されたのち、回転が停止した整列ローラー対１４９にその先端が突き当たる。そして、用紙Ｐは、このような整列ローラー対１４９へ突き当たった状態によって搬送方向Ｘに対する傾きが補正（スキュー取り）される。そして傾きが補正された用紙Ｐは、その後の整列ローラー対１４９の回転駆動によって、整列状態となって記録部１１０へ搬送される。
【００３６】
記録部１１０により片面又は両面に記録が行われ、記録が完了された用紙Ｐは、搬送ローラー対１３１により搬送経路１２０の下流部を構成する排出経路１５０に沿って搬送される。
【００３７】
排出経路１５０における下流側排出経路１５１は、筐体１０１の上方へ向かうとともに、分岐経路１６０に沿うように湾曲して延びて設けられる。下流側排出経路１５１を搬送される用紙Ｐは、下流側排出経路１５１の終端となる排出口１５５から排出される。
【００３８】
排出口１５５から排出された用紙Ｐは、下側へ落下し、二点鎖線で示すように、積層された状態で載置台１５６に排紙される。下流側排出経路１５１の複数箇所に配置された搬送ローラー対１３１により、用紙Ｐは、排出口１５５から片面印刷時における記録面が下側を向く姿勢にて載置台１５６に排紙される。
【００３９】
載置台１５６は、図面右方向に向かうにつれて、上側に上昇する先上がりの傾斜した形状を有し、この載置台１５６に用紙Ｐが積層状態で載置される。このとき、載置台１５６に載置された各用紙Ｐは、載置台１５６の傾斜面に沿って図面左方向に移動し、排出口１５５の下側に設けられた縦側壁１５７に接近して載置される。
【００４０】
また、下流側排出経路１５１は、記録部１１０により記録された用紙Ｐが排出口１５５まで搬送される間において、その用紙Ｐの表裏を反転させる湾曲反転経路を構成する。すなわち、下流側排出経路１５１は、記録部１１０により記録された用紙Ｐの記録面を内側にして湾曲させるとともに、その用紙Ｐの記録面が上側に向く状態から下側に向く状態に用紙Ｐを反転させる。したがって、用紙Ｐは、下流側排出経路１５１を通ることによって片面印刷時における記録面が載置台１５６と対峙する状態となって排出口１５５から排出される。
【００４１】
筐体１０１の図面右側には、上側カバー１７０、下側カバー１８０が備えられる。上側カバー１７０、下側カバー１８０は、上下方向に並んで備えられる。
【００４２】
下側カバー１８０の図面右側には、用紙収容装置５００が着脱可能に備えられる。用紙収容装置５００の筐体５０７には、複数の用紙Ｐが載置されるトレイ５０５、トレイ５０５を上下方向に昇降する昇降機構５０６、トレイ５０５に載置された用紙Ｐを１枚ずつ取り出して本体装置側に給送する給送ユニット５０１が備えられる。
【００４３】
給送ユニット５０１には、トレイ５０５に載置された最上位の用紙Ｐを送り出すピックアップローラー５０２、給送ローラー対５０３、搬送ローラー対５０４が備えられる。給送ローラー対５０３は、フィードローラー及びリタードローラーによって構成され、ピックアップローラー５０２から送り出された用紙Ｐを１枚ずつ搬送する。搬送ローラー対５０４は、給送ローラー対５０３によって給送された用紙Ｐを筐体１０１側に搬送する。
【００４４】
搬送ローラー対５０４によって搬送される用紙Ｐは、筐体５０７に設けられた排出口５０８から排出される。排出された用紙Ｐは、下側カバー１８０に設けられた貫通孔１８１に挿入され、第２の供給経路１４２における搬送経路１６２に侵入する。
【００４５】
搬送経路１６２の図面下側から上側に向かって搬送される用紙Ｐ、または用紙収容装置５００から給送された用紙Ｐが、搬送経路１６２の上側に残った際には、上側カバー１７０を開けて用紙Ｐを取り除く。
【００４６】
搬送経路１６２の図面下側から上側に向かって搬送される用紙Ｐが、搬送経路１６２の下側に残った際には、用紙収容装置５００を筐体１０１から取り外し、上側カバー１７０を開けた後、下側カバー１８０を開けて用紙Ｐを取り除く。
【００４７】
筐体５０７の底部には、キャスター５０９が備えられ、用紙収容装置５００を筐体１０１に装着したり取り外す際に、用紙収容装置５００の移動が容易である。
【００４８】
図２は、筐体１０１から用紙収容装置５００を取り外した状態で、上側カバー１７０、下側カバー１８０が備えられた部分の外観斜視図である。上側カバー１７０には、上側カバー１７０を回動可能に支持するヒンジ１７２と、取っ手部１７３が設けられる。
【００４９】
下側カバー１８０には、下側カバー１８０を回動可能に支持するヒンジ１８７と、取っ手部１８６が設けられる。また、下側カバー１８０には、前述の貫通孔１８１が幅方向Ｙに延在する。
【００５０】
図３は、上側カバー１７０の斜視図である。図３は、上側カバー１７０が閉じられた状態において、筐体１０１の内側から見た図である。図３には、従動ローラー１４６ｂを図示していない。
【００５１】
上側カバー１７０の下端部１７６側には、壁面１７４から窪んだ凹部１７１が幅方向Ｙに延在する。凹部１７１には、上側が壁面１７４と接続され、鉛直方向Ｚに対して傾斜し、幅方向Ｙに延在する傾斜面１７１ａが形成される。
【００５２】
図４は、下側カバー１８０の斜視図である。図４は、下側カバー１８０が閉じられた状態において、筐体１０１の外側から見た図である。下側カバー１８０の外側には、貫通孔１８１の開口部１８３が幅方向Ｙに長く形成される。
【００５３】
下側カバー１８０の上側には、貫通孔１８１の開口部１８４が幅方向Ｙに長く形成される。開口部１８４の内側には、鉛直方向Ｚに対して傾斜する傾斜面１８２ａを有し、下側カバー１８０の上端部１８５から上側に突出する突出部１８２が幅方向Ｙに長く形成される。
【００５４】
図５は、閉じた状態での上側カバー１７０及び下側カバー１８０の一部の断面を含む斜視図である。図５の断面は、図３の上側カバー１７０及び図４の下側カバー１８０の破線で示す断面位置Ａ−Ａ´において、幅方向Ｙの矢印方向から見た図である。
【００５５】
上側カバー１７０と下側カバー１８０とが閉じた状態において、傾斜面１８２ａにおける鉛直方向Ｚにおける範囲Ｂ１の傾斜面１８２ａ１は、傾斜面１７１ａと対向し、鉛直方向Ｚにおいて傾斜面１７１ａと重なる位置に配置される。傾斜面１８２ａにおける傾斜面１８２ａ１より下方の傾斜面１８２ａ２は、上側カバー１７０の下端部１７６と下側カバー１８０の上端部１８５との間に配置される。
【００５６】
図１の用紙収容装置５００から給送された用紙Ｐは、貫通孔１８１の開口部１８３に挿入され、貫通孔１８１に設けられて対向する対向面１８１ａ，１８１ｂによって、貫通孔１８１の開口部１８４を通る。さらに、用紙Ｐは、上側カバー１７０の傾斜面１７１ａと、傾斜面１７１ａと対向する突出部１８２の傾斜面１８２ａに沿って、上方に搬送される。
【００５７】
以上、本実施形態で説明したプリンター１００は、ピックアップローラー１４２ａ及び分離ローラー対１４５を備えて用紙Ｐを１枚ずつ給送する給送部と、用紙Ｐに記録する記録部１１０と、用紙Ｐが給送部から記録部１１０に搬送される搬送経路１６２と、を筐体１０１内部に備える記録装置であって、筐体１０１に開閉可能に設けられ、搬送経路１６２を覆う位置に鉛直方向Ｚに並ぶ、第１の開閉体としての下側カバー１８０、第２の開閉体としての上側カバー１７０と、用紙Ｐを収容し、筐体１０１の外側に着脱可能に備えられ、用紙Ｐを筐体１０１内部に給送する用紙収容装置５００（記録媒体収容装置）と、を備える。
【００５８】
そして、下側カバー１８０には、用紙収容装置５００から給送される用紙Ｐが通る貫通孔１８１と、用紙Ｐを案内する第１案内面としての傾斜面１８２ａ１を有し、上側カバー１７０の内側に突出する突出部１８２と、が設けられる。
【００５９】
上側カバー１７０には、上側カバー１７０及び下側カバー１８０が閉じた状態において、傾斜面１８２ａ１と対向する位置に設けられ、給送される用紙Ｐの傾斜面１８２ａ１と反対側の面を案内する第２案内面としての傾斜面１７１ａが設けられる。
【００６０】
この構成により、用紙Ｐは、下側カバー１８０に設けられた貫通孔１８１を通り、さらに下側カバー１８０に設けられた突出部１８２の傾斜面１８２ａ１（第１案内面）と上側カバー１７０に設けられた傾斜面１７１ａ（第２案内面）との間を通り、筐体１０１内部の搬送経路１６２に侵入できる。すなわち、用紙Ｐは、下側カバー１８０の貫通孔１８１を通り、上側カバー１７０に干渉することなく、上側カバー１７０の内側を通り、筐体１０１内部の搬送経路１６２に侵入できる。従って、下側カバー１８０の位置が外側になったり、下側カバー１８０が厚くなることを抑制し、記録装置の大型化を抑制できる。
【００６１】
本実施形態における、下側カバー１８０の第１案内面としての傾斜面１８２ａ１、上側カバー１７０の第２案内面としての傾斜面１７１ａは、鉛直方向Ｚに対して傾斜する傾斜面であったが、第１案内面及び第２案内面は曲面でもよい。
【００６２】
（実施形態２）
実施形態２では、下側カバーを開く際に、突出部が、閉じた状態にある上側カバーと干渉しない位置に退避するプリンターについて説明する。図６は、実施形態２における下側カバー１９０の斜視図である。
【００６３】
図６の下側カバー１９０は、ヒンジ（不図示）を備え、鉛直方向Ｚに延びる支点Ｅ１を回動軸として回動方向Ｄ１，Ｄ２に回動可能に備えられる。突出部１９４は、幅方向Ｙに延びる支点Ｅ２を回動軸として回動方向Ｄ３，Ｄ４に回動可能に備えられる。
【００６４】
下側カバー１９０の外側（図面右側）には、貫通孔１９１の開口部１９２が幅方向Ｙに長く形成される。下側カバー１９０の上端部１９５には、貫通孔１９１の開口部１９３が幅方向Ｙに長く形成される。
【００６５】
開口部１９３の搬送方向Ｘの下流側には、幅方向Ｙに延在する突出部１９４が設けられる。上側カバー１７０及び下側カバー１９０が閉じた状態では、突出部１９４は、下側カバー１９０の上端部１９５から上側に突出する。
【００６６】
図７は、下側カバー１９０の一部の断面（図６の破線で示す断面位置Ｃ―Ｃ´）を含む斜視図である。上側カバー１７０と下側カバー１９０とが閉じた状態において、下側カバー１９０の傾斜面１９４ａにおける鉛直方向Ｚにおける範囲Ｂ２の傾斜面１９４ａ１（第１案内面）は、上側カバー１７０の傾斜面１７１ａ（第２案内面）と対向し、鉛直方向Ｚにおいて傾斜面１７１ａと重なる位置に配置される。傾斜面１９４ａにおける傾斜面１９４ａ１より下方の傾斜面１９４ａ２は、鉛直方向Ｚにおいて上側カバー１７０の下端部１７６と下側カバー１９０の上端部１９５との間に配置される。
【００６７】
図６の突出部１９４の内側における幅方向Ｙの一方の側には、突出部１９４を回動方向Ｄ３に付勢するコイル状ばね１９６が備えられる。筐体１０１内部に設けられた支持部１６７には、立方体形状の規制部材１６６が備えられる。
【００６８】
下側カバー１９０が閉じた状態では、規制部材１６６は、突出部１９４の傾斜面１９４ａと反対側の面１９４ｂに当接する。これにより、規制部材１６６は、コイル状ばね１９６の付勢力によって回動方向Ｄ３に回動しようとする突出部１９４の回動を規制する。
【００６９】
上側カバー１７０と下側カバー１９０とが閉じた状態において、図１の用紙収容装置５００から給送された用紙Ｐは、図７の貫通孔１９１の開口部１９２に挿入され、貫通孔１９１に設けられて対向する対向面１９１ａ，１９１ｂによって搬送方向Ｘの下流側に案内され、貫通孔１９１の開口部１９３を通る。さらに、用紙Ｐは、上側カバー１７０の傾斜面１７１ａと、突出部１９４の傾斜面１９４ａに沿って、上方に搬送される。
【００７０】
次に、用紙収容装置５００を筐体１０１から取り外した後、上側カバー１７０が閉じた状態のまま、下側カバー１９０を開閉する様子について説明する。
【００７１】
次に、図８Ａ〜図８Ｄを参照し、閉じた状態の上側カバー１７０に対して、下側カバー１９０を回動させたときの様子について説明する。図８Ａ〜図８Ｄの上側カバー１７０及び下側カバー１９０は、規制部材１６６が備えられた位置における幅方向Ｙから見た断面を示す。尚、図６のコイル状ばね１９６は図示していない。
【００７２】
図８Ａの上側カバー１７０及び下側カバー１９０は閉じた状態にある。図８Ａの下側カバー１９０は、突出部１９４の面１９４ｂが規制部材１６６に当接し、傾斜面１９４ａ１と傾斜面１７１ａとが対向する回動位置にある。この状態では、用紙収容装置５００から給送された用紙Ｐは、貫通孔１９１を通り、傾斜面１７１ａと傾斜面１９４ａ１との間を通り、搬送方向Ｘの下流側に搬送される。突出部１９４の先端部１９４ｃは、上側カバー１７０の下端部１７６より上方の位置にある。
【００７３】
図８Ｂの下側カバー１９０は、図８Ａの閉じた状態から回動方向Ｄ２に回動した状態を示す。この状態では、突出部１９４の先端部１９４ｃが規制部材１６６と摺動しながら回動方向Ｄ３に回動する。突出部１９４の先端部１９４ｃは、上側カバー１７０の下端部１７６より上方の位置にある。
【００７４】
図８Ｃの下側カバー１９０は、図８Ｂの状態から回動方向Ｄ２にさらに回動した状態を示す。この状態では、突出部１９４は、回動方向Ｄ３にさらに回動し、突出部１９４の先端部１９４ｃは規制部材１６６から離れた状態になる。突出部１９４の先端部１９４ｃは、上側カバー１７０の下端部１７６より下方の位置にある。
【００７５】
図８Ｄの下側カバー１９０は、図８Ｃの閉じた状態から回動方向Ｄ２にさらに回動した状態を示す。図８Ｄに示すように、突出部１９４は、回動位置が固定された状態で上側カバー１７０に衝突することなく、上側カバー１７０の下方を移動する。
【００７６】
反対に、下側カバー１９０が開いた状態から閉じた状態になるときは、図８Ｄの突出部１９４は、上側カバー１７０に衝突することなく、上側カバー１７０の下方を移動する。そして、図８Ｂの突出部１９４の先端部１９４ｃは、規制部材１６６と摺動しながら、回動方向Ｄ４に回動する。
【００７７】
さらに下側カバー１９０は、さらに回動方向Ｄ１に回動し、図８Ａの下側カバー１９０は、突出部１９４の面１９４ｂが規制部材１６６に当接し、傾斜面１９４ａ１と傾斜面１７１ａとが対向する位置になる。前述したように、この状態では、用紙収容装置５００から給送された用紙Ｐは、貫通孔１９１を通り、傾斜面１７１ａと傾斜面１９４ａ１との間を通り、搬送方向Ｘの下流側に搬送される。突出部１９４の先端部１９４ｃは、上側カバー１７０の下端部１７６より上方の位置にある。
【００７８】
このように、上側カバー１７０を閉じた状態で、下側カバー１９０を回動方向Ｄ１，Ｄ２に回動させて開閉可能である。
【００７９】
以上、本実施形態で説明したプリンターは、第１の開閉体としての下側カバー１９０を開く際に、突出部１９４は、閉じた状態にある第２の開閉体としての上側カバー１７０と干渉しない位置に退避する。
【００８０】
この構成によれば、上側カバー１７０が閉じた状態であっても、突出部１９４が上側カバー１７０と干渉することなく、下側カバー１９０を開閉できる。
【００８１】
また、突出部１９４は、回動可能に備えられ、突出部１９４が退避する回動方向Ｄ３に付勢する付勢部材としてのコイル状ばね１９６と、下側カバー１９０が閉じた位置にあるときは、突出部１９４の回動方向Ｄ３への回動を規制し、下側カバー１９０が閉じた位置にないときは、突出部１９４の回動方向Ｄ３への回動を規制しない規制部材１６６と、を備える。
【００８２】
この構成によれば、下側カバー１９０が閉じた位置にないときは、コイル状ばね１９６によって、突出部１９４は退避する回動方向Ｄ３に回動される。
【００８３】
また、下側カバー１９０は、搬送経路１６２における給送部側を覆う第１の扉であり、上側カバー１７０は、搬送経路１６２における記録部１１０側を覆う第２の扉であって、突出部１９４は、第２の扉の内側に突出する。
【００８４】
この構成によれば、第１の扉を開けることによって、搬送経路１６２における給送部側に残された用紙Ｐを取り除くことができ、第２の扉を開けることによって、搬送経路１６２における記録部側に残された用紙Ｐを取り除くことができる。
【００８５】
本実施形態では、コイル状ばね１９６及び規制部材１６６を突出部１９４の幅方向Ｙの一方の側に配置したが、コイル状ばね１９６及び規制部材１６６を突出部１９４の幅方向Ｙの両側に配置してもよい。本実施形態のプリンターのその他の構成は、実施形態１で説明したプリンター１００の構成と同じである。
【００８６】
（実施形態３）
実施形態２では、閉じた状態の下側カバー１８０を開ける際に、回動可能な突出部１９４を備え、閉じた状態の上側カバー１７０に突出部１９４が衝突しないように退避したが、実施形態３では、上下方向に移動可能な突出部を備え、閉じた状態の上側カバーに突出部が衝突しないように退避するプリンターについて説明する。
【００８７】
図９は、上側カバー２００の斜視図である。図９は、上側カバー２００を閉じた状態において、筐体１０１の内側から見た図である。図９には、従動ローラー１４６ｂを図示していない。上側カバー２００の下端部２０５側には、壁面２０６から窪んだ凹部２０１が幅方向Ｙに延在する。
【００８８】
凹部２０１には、上側が壁面２０６と接続され、鉛直方向Ｚに対して傾斜し、幅方向Ｙに延在する傾斜面２０２が形成される。凹部２０１の幅方向Ｙの両側には、壁面２０６から窪んだ凹部２０３が形成される。凹部２０３の上側には、湾曲面２０４が形成される。
【００８９】
図１０は、本実施形態における下側カバー３００の斜視図である。図１０は、下側カバー３００が閉じた状態において、筐体１０１の外側から見た図である。下側カバー３００の外側には、貫通孔３０１の開口部３０２が幅方向Ｙに長く形成される。下側カバー３００の上側には、貫通孔３０１の開口部３０３が幅方向Ｙに長く形成される。
【００９０】
壁部３０４に形成された傾斜面３０４ａは、貫通孔３０１が形成された傾斜面３０７と接続され、用紙Ｐの搬送面となる。傾斜面３０４ａの搬送方向Ｘの下流側には、傾斜面３０５ａを有する突出部３０５が配置される。
【００９１】
傾斜面３０５ａの幅方向Ｙの両端部には、上下方向Ｄ５，Ｄ６に移動可能な支持部材３０６が設けられる。支持部材３０６の上下方向Ｄ５，Ｄ６の移動に伴って、傾斜面３０５ａが形成された突出部３０５が上下方向Ｄ５，Ｄ６に移動する。
【００９２】
次に、図１１Ａ、図１１Ｂを参照し、閉じた状態の上側カバー２００に対して、下側カバー３００を回動させたときの様子について説明する。図１１Ａは、上側カバー２００及び下側カバー３００が閉じた状態にあるとき、上側カバー２００の凹部２０３に下側カバー３００の支持部材３０６の一部が侵入した部分を幅方向Ｙから見た図である。
【００９３】
支持部材３０６は、上方が開口する溝部３０９に備えられ、幅方向Ｙから見た断面形状が半円形状の摺動面３０６ａを有する。上側カバー２００及び下側カバー３００が閉じた状態にあるとき、支持部材３０６の摺動面３０６ａは、上側カバー２００における凹部２０３の湾曲面２０４に侵入した状態である。
【００９４】
溝部３０９には、上側に付勢するコイル状ばね３０８が備えられる。支持部材３０６の下部はコイル状ばね３０８に固定され、支持部材３０６は、上下方向Ｄ５，Ｄ６に移動可能である。
【００９５】
図１１Ａの突出部３０５は、鉛直方向Ｚにおける上側の位置にあり、下側カバー３００の傾斜面３０５ａ（第１案内面）は、上側カバー２００の傾斜面２０２（第２案内面）と対向する位置に配置される。また、傾斜面３０５ａは、貫通孔３０１が形成された壁部３０４の傾斜面３０４ａの面方向に延長した位置に配置される。
【００９６】
この状態において、用紙収容装置５００から給送される用紙Ｐは、開口部３０２に挿入され、貫通孔３０１を通り、傾斜面３０４ａ，３０５ａに沿って、傾斜面２０２と傾斜面３０５ａの間を通り、搬送方向Ｘの下流側に搬送される。
【００９７】
図１１Ｂは、図１１Ａの下側カバー３００が回動方向Ｄ２に移動し、支持部材３０６の摺動面３０６ａが上側カバー２００の下端部２０５に当接した状態を示す。下側カバー３００の回動方向Ｄ２の移動に伴って、支持部材３０６の摺動面３０６ａは、上側カバー２００の下端部２０５と摺動するとともに、突出部３０５は下方向Ｄ６に移動する。
【００９８】
突出部３０５は、支持部材３０６の摺動面３０６ａより下方の位置に設けられる。そのため、閉じた状態にある上側カバー２００に対して、下側カバー３００が回動方向Ｄ２に回動するとき、突出部３０５は、上側カバー２００に衝突しない。
【００９９】
反対に、開いた状態の下側カバー３００を回動方向Ｄ１に回動させて閉じた状態になるときも、同様に、支持部材３０６の摺動面３０６ａが、上側カバー２００の下端部２０５と摺動するとともに、突出部３０５が下方向Ｄ６に移動することにより、突出部３０５が、上側カバー２００に衝突しない。
【０１００】
このように、第２の開閉体としての上側カバー２００が閉じた状態にあるとき、第１の開閉体としての下側カバー３００を開閉可能である。本実施形態のプリンターのその他の構成は、実施形態１で説明したプリンター１００の構成と同じである。
【０１０１】
実施形態１から実施形態３では、回動可能な上側カバー１７０，２００、下側カバー１８０，１９０，３００について説明したが、上下方向に並び、それぞれ回動可能なユニットにも適用する。
【符号の説明】
【０１０２】
１００…プリンター、１０１…筐体、１１０…記録部、１６２…搬送経路、１６６…規制部材、１７０，２００…上側カバー、１７１ａ，１８２ａ１，１９４ａ１，２０２，３０５ａ…傾斜面、１８０，１９０，３００…下側カバー、１８１，３０１…貫通孔、１８２，１９４，３０５…突出部、５００…用紙収容装置。
【図１】
2017190214.tif 000003
【図２】
2017190214.tif 000004
【図３】
2017190214.tif 000005
【図４】
2017190214.tif 000006
【図５】
2017190214.tif 000007
【図６】
2017190214.tif 000008
【図７】
2017190214.tif 000009
【図８Ａ】
2017190214.tif 000010
【図８Ｂ】
2017190214.tif 000011
【図８Ｃ】
2017190214.tif 000012
【図８Ｄ】
2017190214.tif 000013
【図９】
2017190214.tif 000014
【図１０】
2017190214.tif 000015
【図１１Ａ】
2017190214.tif 000016
【図１１Ｂ】
2017190214.tif 000017
【図１２Ａ】
2017190214.tif 000018
【図１２Ｂ】
2017190214.tif 000019
【図１２Ｃ】
2017190214.tif 000020